(57)【特許請求の範囲】
【請求項１】
ウェットスーツを構成するその他の部分よりも緊締力の強い強緊締力部が部分的に配され、該強緊締力部は着用者の筋肉および／または靭帯を加圧してサポートする機能を生じる、サポート機能を有するウェットスーツであって、
着用者の大胸筋下部付近より、三角筋の鎖骨部を通り肩峰および僧帽筋上部に至り、該肩峰および僧帽筋上部付近より三角筋の肩甲棘部を通り広背筋上部付近に至るように形成された左右一対の第１の強緊締力部であって、該第１の強緊締力部が以下より選択される少なくとも一つの構成を備える、上記ウェットスーツ：
その両端が体側部にて連結されている；
着用者の背面において広背筋に沿って腰部まで延在している；および
着用者の前面において外腹斜筋に沿って腹部まで延在している。
【請求項２】
緊締力の強い部分として、
着用者の三角筋の鎖骨部より三角筋に沿って上腕骨の三角筋粗面に至り、該三角筋粗面より三角筋に沿って三角筋の肩甲棘部に至るように形成された左右一対の第２の強緊締力部を備える、請求項１記載のウェットスーツ。
【請求項３】
さらに、着用者の橈骨手根屈筋、長掌筋および尺側手根屈筋からなる群から選択される少なくとも１つの筋肉に沿うように形成された左右一対の第３の強緊締力部および／または着用者の三角筋の人体前側より螺旋状に上腕三頭筋の外側頭および長頭を横切り尺側手根屈筋に至り、該尺側手根屈筋に沿って手首まで至るように形成される左右一対の第３’の強緊締力部を備える、請求項１または２記載のウェットスーツ。
【請求項４】
さらに、着用者の広背筋上部付近より腰部正中部に至るように形成された左右一対の第４の強緊締力部を備える、請求項１〜３のいずれか１項記載のウェットスーツ。
【請求項５】
さらに、
着用者の外側広筋から大腿直筋および縫工筋の筋腹を横切り、内転筋に至るように形成された左右一対の第５の強緊締力部；ならびに／あるいは
着用者の外側広筋から縫工筋に沿うことなく大腿部の前側を通り、かつ第５の強緊締力部と交差することなく該内側広筋に至るように形成された左右一対の第６の強緊締力部、を備える、請求項１〜４のいずれか１項記載のウェットスーツ。
【請求項６】
さらに、
着用者の外側側副靭帯をサポートしかつ長腓骨筋に沿って長腓骨筋の上部付近まで延在するように形成された左右一対の第７の強緊締力部、および
着用者の内側側副靭帯をサポートしかつ膝蓋骨下方において膝間接内側から前側を通り第７の強緊締力部に連結するように形成された左右一対の第８の強緊締力部、
を備える、請求項１〜５のいずれか１項記載のウェットスーツ。
【請求項７】
さらに、着用者の腰部から腸脛靭帯に沿って膝関節の外側側面を通り、踝付近まで至るように形成された左右一対の第９の強緊締力部を備える、請求項１〜６のいずれか１項記載のウェットスーツ。
【請求項８】
さらに、着用者のアキレス腱をサポートしかつ腓腹筋の下方付近に沿って延在するように形成された左右一対の第１０の強緊締力部を備える、請求項１〜７のいずれか１項記載のウェットスーツ。
【請求項９】
さらに、着用者の大腿筋膜張筋から腹部の体側部および／または腰部の体側部をサポートするように形成された左右一対の第１１の強緊締力部を備える、請求項１〜８のいずれか１項記載のウェットスーツ。
【請求項１０】
さらに、少なくとも着用者の膝裏部を除く下半身の背面に形成された第１２の強緊締力部を備える、請求項１〜９のいずれか１項記載のウェットスーツ。
【請求項１１】
第１〜第１２および第３’の強緊締力部から選択される一または複数の強緊締力部とそれ以外の部分とをそれぞれ所定のパーツにして、それらが繋ぎ合わされて形成されているか、または第１〜第１２および第３’の強緊締力部から選択される一または複数の強緊締力部がウェットスーツ本体に付着されることによって形成されている、請求項１０記載のウェットスーツ。
【発明の詳細な説明】
【技術分野】
【０００１】
本発明は、緊締力の強い部分を備えるウェットスーツに関する。
【背景技術】
【０００２】
従来的に、様々なスポーツやトレーニングの場において、筋肉、靭帯、および骨の障害を予防するために、また障害を生じた部位をサポートするために、人体の必要箇所にテーピング処置が施されている。しかしながら、テーピング処置は、専門家による処置を必要とし素人が自分自身で施すことは困難であること、またテーピング用のテープを直接人体に巻くことにより皮膚の蒸れや痒みといった不快感を生じることなど問題を有していた。
【０００３】
今日では、上記の問題点を解決すべく着用者の筋肉、靭帯等をサポートする機能を有する様々な衣料品が開発されている（特許文献１−５）。これにより多くのスポーツやトレーニングの場において、当該衣料品を着用するだけで筋肉、靭帯等を容易かつ有効にサポートすることができる。
【０００４】
サーフィン等の激しい運動を伴うマリンスポーツにおいては、筋肉、靭帯、および骨等に障害を生じることも多い。マリンスポーツでは一般に、実施者の保温や怪我を防止するためにネオプレン（登録商標）等より構成されるウェットスーツを着用する。通常、ウェットスーツは内部への浸水を防ぐために、また水中での抵抗を軽減するために着用者の体にフィットする構造を有しており、サポート機能を有する衣料品をウェットスーツの下に、正確に着用することは困難である。また、それらをウェットスーツの下に着用した場合、運動時に不快な圧迫感や窮屈感を伴い、運動能の著しい低下を招く。また、テーピング処置についても、水に濡れるとテーピング用のテープが剥がれてしまい本来の機能を果たさないといった問題があった。
【０００５】
そこで、サーフィン等の激しい運動を伴うマリンスポーツにおいても、筋肉、靭帯、および骨をサポートでき、障害を予防することができる衣料品が求められていた。
【先行技術文献】
【特許文献】
【０００６】
【特許文献１】特許第3012819号公報
【特許文献２】特許第3808470号公報
【特許文献３】特許第3924586号公報
【特許文献４】特許第4061336号公報
【特許文献５】特開2005-226217号公報
【発明の概要】
【発明が解決しようとする課題】
【０００７】
本発明は、サーフィン等の激しい運動を伴うマリンスポーツの実施において使用可能な、着用者の筋肉、靭帯等をサポートする機能を有する衣料品、特にウェットスーツを提供する。
【課題を解決するための手段】
【０００８】
本発明者らは、上記課題を解決すべく、鋭意検討した結果、緊締力の強い部分をウェットスーツの特定の部位に配置することによって、上記課題を解決し得ることを見出し、本発明を完成させるに至った。
【０００９】
すなわち、本発明は以下のとおりである。
［１］  少なくとも上半身部に緊締力の強い部分を備えるウェットスーツ。
［２］  緊締力の強い部分として、
着用者の大胸筋下部付近より、三角筋の鎖骨部近傍を通り肩峰および僧帽筋上部に至り、該肩峰および僧帽筋上部付近より三角筋の肩甲棘部近傍を通り広背筋上部付近に至るように形成された左右一対の第１の強緊締力部であって、該第１の強緊締力部が以下より選択される少なくとも一つの構成を備える、［１］のウェットスーツ：
体側部まで延在している；
着用者の背面において広背筋に沿って腰部まで延在している；および
着用者の前面において外腹斜筋に沿って腹部まで延在している。
［３］  緊締力の強い部分として、
着用者の三角筋の鎖骨部近傍より三角筋にほぼ沿って上腕骨の三角筋粗面に至り、該三角筋粗面より三角筋にほぼ沿って三角筋の肩甲棘部近傍に至るように形成された左右一対の第２の強緊締力部を備える、［１］または［２］のウェットスーツ。
［４］  さらに、着用者の橈骨手根屈筋、長掌筋および尺側手根屈筋からなる群から選択される少なくとも１つの筋肉にほぼ沿うように形成された左右一対の第３の強緊締力部および／または着用者の三角筋の人体前側より螺旋状に上腕三頭筋の外側頭および長頭を横切り尺側手根屈筋に至り、尺側手根屈筋に沿って手首まで至るように形成される左右一対の第３’の強緊締力部を備える、［１］〜［３］のいずれかのウェットスーツ。
【００１０】
［５］  さらに、着用者の広背筋上部付近より腰部正中部に至るように形成された左右一対の第４の強緊締力部を備える、［１］〜［４］のいずれかのウェットスーツ。
［６］  さらに、
着用者の外側広筋から大腿直筋および縫工筋の筋腹を横切り、内転筋に至るように形成された左右一対の第５の強緊締力部；ならびに／あるいは
着用者の外側広筋から縫工筋に沿うことなく大腿部の前側を通り、かつ第５の強緊締力部と交差することなく該内側広筋に至るように形成された左右一対の第６の強緊締力部、
を備える、［１］〜［５］のいずれかのウェットスーツ。
［７］  さらに、
着用者の外側側副靭帯を実質的にサポートしかつ長腓骨筋に沿って長腓骨筋の上部付近まで延在するように形成された左右一対の第７の強緊締力部、および
着用者の内側側副靭帯を実質的にサポートしかつ膝蓋骨下方において膝間接内側から前側を通り第７の強緊締力部に連結するように形成された左右一対の第８の強緊締力部、
を備える、［１］〜［６］のいずれかのウェットスーツ。
［８］  さらに、着用者の腰部から腸脛靭帯にほぼ沿って膝関節の外側側面を通り、踝付近まで至るように形成された左右一対の第９の強緊締力部を備える、［１］〜［７］のいずれかのウェットスーツ。
【００１１】
［９］  さらに、着用者のアキレス腱を実質的にサポートしかつ腓腹筋の下方付近に沿って延在するように形成された左右一対の第１０の強緊締力部を備える、［１］〜［８］のいずれかのウェットスーツ。
［１０］  さらに、着用者の大腿筋膜張筋から腹部の体側部および／または腰部の体側部を実質的にサポートするように形成された左右一対の第１１の強緊締力部を備える、［１］〜［９］のいずれかのウェットスーツ。
［１１］  さらに、少なくとも着用者の膝裏部を除く下半身の背面に形成された第１２の強緊締力部を備える、［１］〜［１０］のいずれかのウェットスーツ。
［１２］  第１〜第１２および第３’の強緊締力部から選択される一または複数の強緊締力部とそれ以外の部分とをそれぞれ所定のパーツにして、それらが繋ぎ合わされて形成されているか、または第１〜第１２および第３’の強緊締力部から選択される一または複数の強緊締力部がウェットスーツ本体に付着されることによって形成されている、［１１］のウェットスーツ。
【発明の効果】
【００１２】
本発明のウェットスーツは、部分的に配された強緊締力部を備え、当該強緊締力部により着用者の筋肉および靭帯を加圧してサポートすることができるために、当該筋肉および靭帯の損傷防止および当該筋肉の筋出力の向上を促し、さらに当該強緊締力部を配置することにより生じるマッサージ効果により、当該筋肉の疲労軽減および疲労回復を促す作用を有する。
【図面の簡単な説明】
【００１３】
【図１】図１は、強緊締力部（１）を備える（Ａ）〜（Ｄ）のウェットスーツの模式図を示す。
【図２】図２は、強緊締力部（２）を備える（Ａ）〜（Ｃ）のウェットスーツの模式図を示す。
【図３−１】図３−１は、強緊締力部（１）および／または強緊締力部（２）を備えるウェットスーツの模式図を示す。
【図３−２】図３−２は、強緊締力部（１）および／または強緊締力部（２）を備えるウェットスーツの模式図を示す。
【図３−３】図３−３は、強緊締力部（１）および／または強緊締力部（２）を備えるウェットスーツの模式図を示す。
【図４】図４は、強緊締力部（１）、強緊締力部（２）、強緊締力部（３）、強緊締力部（３’）および強緊締力部（４）を備えるウェットスーツの正面図、背面図および側面図を示す。
【図５】図５は、強緊締力部（１）、強緊締力部（２）、強緊締力部（５）および強緊締力部（６）を備えるウェットスーツの正面図および側面図を示す。
【図６】図６は、強緊締力部（１）、強緊締力部（２）および強緊締力部（６’）を備えるウェットスーツ（Ｂ）の正面図を示す。
【図７】図７は、強緊締力部（１）、強緊締力部（２）、強緊締力部（７）および強緊締力部（８）を備えるウェットスーツの正面図を示す。
【図８】図８は、強緊締力部（１）、強緊締力部（２）、強緊締力部（９）および強緊締力部（９’）を備えるウェットスーツの正面図、背面図および側面図を示す。
【図９】図９は、強緊締力部（１）、強緊締力部（２）および強緊締力部（１０）を備えるウェットスーツの背面図および側面図を示す。
【図１０】図１０の（Ａ）および（Ｂ）は、強緊締力部（１）、強緊締力部（２）および強緊締力部（１１）を備えるウェットスーツの正面図、背面図および側面図を示す。
【図１１−１】図１１−１は、強緊締力部（１）、強緊締力部（２）および強緊締力部（１２）を備えるウェットスーツの模式図を示す。
【図１１−２】図１１−２は、強緊締力部（１）、強緊締力部（２）および強緊締力部（１２）を備えるウェットスーツの模式図を示す。
【図１１−３】図１１−３は、強緊締力部（１）、強緊締力部（２）および強緊締力部（１２）を備えるウェットスーツの模式図を示す。
【図１２】図１２は、強緊締力部（１）〜（１２）および強緊締力部（３’）、（９’）を備えるウェットスーツの正面図、背面図および側面図を示す。
【発明を実施するための形態】
【００１４】
以下、本発明を図面を参照して詳細に説明する。ただし、図に示された発明は本発明の一実施形態を示すものであり、本発明をこれらの発明に限定することを意図しない。
【００１５】
本発明のウェットスーツは好ましくは、特に限定されないが、サーフィン、ウェイクボード、スキムボード、ウインドサーフィンなどの激しい運動を伴うマリンスポーツ用ウェットスーツである。特に好ましくは、当該ウェットスーツはサーフィン用ウェットスーツである。
【００１６】
本発明のウェットスーツは、少なくとも上半身部に緊締力の強い部分を備えるウェットスーツである。
【００１７】
本発明のウェットスーツは、ファスナーを備えるファスナー型であっても、ファスナーを備えないノーファスナー型であっても良い。
【００１８】
本発明のウェットスーツは、長袖・長ズボン型（いわゆる、フルスーツ）、半袖・半ズボン型（いわゆる、スプリング）、長袖・半ズボン型（いわゆる、ロングスリーブ）、半袖・長ズボン型（いわゆる、シーガル）、上半身型（いわゆる、タッパー）等のウェットスーツおよびラッシュガードを含む。
【００１９】
本明細書において、「緊締力の強い部分」および「強緊締力部」は互換的に使用されている。
【００２０】
本明細書において、「緊締力の強い部分」および「強緊締力部」の配置位置を示すために、当該ウェットスーツ着用者の特定の筋肉、靭帯、腱、骨等の名称を用いて説明する。これは当該ウェットスーツ着用時に、「緊締力の強い部分」および「強緊締力部」が当該筋肉、靭帯、腱、骨等が存在する部分またはその近傍に存在することを示す。なお、筋肉、靭帯、腱、骨等の名称および位置は、「解剖学アトラス」、文光堂、１９９７年２月２５日出版を参照して記載される。
【００２１】
本明細書において、「緊締力の強い部分」および「強緊締力部」の配置位置を示すため用いられる、「沿う」、「通る」、「至る」、「延在する」、および「実質的にサポートする」なる用語は、これら用語と共に特定される特定の筋肉、靭帯、腱、骨等またはその近傍を「緊締力の強い部分」および「強緊締力部」が実質的にカバーして当該筋肉、靭帯、腱、骨等をサポートしていることを示す。「緊締力の強い部分」および「強緊締力部」が、特定される筋肉、靭帯、腱、骨等の一部のみをカバーし、これらを部分的にサポートしている場合も、上記用語に含まれる場合がある。「カバー」とは、「緊締力の強い部分」および「強緊締力部」が特定の筋肉、靭帯、腱、骨等またはその近傍上に存在することを指す。「サポート」とは、「緊締力の強い部分」および「強緊締力部」が特定の筋肉、靭帯、腱、骨等またはその近傍を加圧し、その動きを制御（または制限）することを指す。
【００２２】
図１に示すように、本発明のウェットスーツは、着用者の大胸筋下部（５３）付近より、三角筋の鎖骨部近傍（１３）を通り肩峰および僧帽筋上部（１４）に至り、該肩峰および僧帽筋上部（１４）付近より三角筋の肩甲棘部近傍（１５）を通り広背筋（１６）上部付近に至るように形成された左右一対の強緊締力部（１）を少なくとも備える（図１（Ａ））。
【００２３】
強緊締力部（１）は、さらに、
体側部（５４）まで延在している（図１（Ｂ））；
着用者の背面において広背筋（１６）に沿って腰部（５５）まで延在している（図１（Ｃ））；
着用者の前面において外腹斜筋（５６）に沿って腹部（５７）まで延在している（図１（Ｄ））；
または上記構成の少なくとも２つの組み合わせ、を備えていても良い。
【００２４】
強緊締力部（１）の両端が体側部（５４）まで延在している場合において、その両端は連結され環状に形成されていても良い。本明細書において「連結している」とは、一の強緊締力部内の特定の部位と別の部位、または一の強緊締力部と別の強緊締力部を構成するそれぞれのパーツが、縫合、接着等ウェットスーツの製造において一般的に用いられる各パーツの連結法によって隣接して密着している状態を指す。さらに当該用語には、一の強緊締力部と別の強緊締力部とが一体化している（すなわち、接着面および縫合ラインを有さない）一つのパーツとして形成されている場合も含まれる。
【００２５】
ウェットスーツに当該強緊締力部（１）を備えることによって、当該ウェットスーツ着用時に当該強緊締力部（１）によって、着用者の大胸筋、僧帽筋および広背筋をサポートし、身体の軸を安定化させることができる。これにより、本ウェットスーツのサーフィン使用時には着用者のパドリングおよびテイクオフ時の上半身の姿勢を安定化させ、上半身の運動をより楽に行えるようにすることができる。
【００２６】
図２に示すように、本発明のウェットスーツは、着用者の三角筋の鎖骨部近傍（１３）より三角筋（１７）にほぼ沿って上腕骨の三角筋粗面（１８）に至り、該三角筋粗面（１８）より三角筋（１７）にほぼ沿って三角筋の肩甲棘部近傍（１５）に至ように形成された左右一対の強緊締力部（２）を少なくとも備える（図２（Ａ））。
【００２７】
強緊締力部（２）は、さらに
着用者の背面において左右の三角筋の肩甲棘部近傍（１５）を結ぶように延在している（図２（Ｂ））；
着用者の前面において左右の三角筋の鎖骨部近傍（１３）を結ぶように延在している（図２（Ｃ））；
または上記構成の組み合わせ、を備えていても良い。
【００２８】
ウェットスーツに当該強緊締力部（２）を備えることによって、当該ウェットスーツ着用時に当該強緊締力部（２）によって、着用者の三角筋（１７）をサポートしウェットスーツ着用時の上腕の内転、外転、挙上、前傾、後傾および回旋等の運動をサポートできる。これにより、本ウェットスーツのサーフィン使用時には着用者のパドリングを楽にすることができる。
【００２９】
強緊締力部（２）は、少なくとも三角筋の筋縁部（すなわち、三角筋の鎖骨部および肩甲棘部から上腕骨の三角筋粗面まで）に筋繊維方向に沿って配置されていれば良いが、必要に応じて三角筋全体をカバーする形状を有していても良い。
【００３０】
ウェットスーツに強緊締力部（１）および強緊締力部（２）を共に備える場合、強緊締力部（１）および強緊締力部（２）は好ましくは三角筋の鎖骨部近傍（１３）および三角筋の肩甲棘部近傍（１５）において連結している。
【００３１】
図３−１〜３の（Ａ）〜（Ｆ）に、強緊締力部（１）および／または強緊締力部（２）を備える本発明のウェットスーツの例を示すが、特にこれらに限定されない。
【００３２】
また、図４に示すように、上記ウェットスーツに、さらに、着用者の橈骨手根屈筋、長掌筋および尺側手根屈筋からなる群から選択される少なくとも１つの筋肉にほぼ沿うように形成された左右一対の強緊締力部（３）、着用者の三角筋の人体前側より螺旋状に上腕三頭筋の外側頭および長頭を横切り尺側手根屈筋に至り、尺側手根屈筋に沿って手首まで至るように形成される左右一対の強緊締力部（３’）、および／または着用者の広背筋上部付近（２０）より腰部正中部（２１）に至るように形成された左右一対の強緊締力部（４）を備えていても良い。
【００３３】
ウェットスーツに当該強緊締力部（３）を備えることによって、当該ウェットスーツ着用時に当該強緊締力部（３）によって、着用者の橈骨手根屈筋、長掌筋および尺側手根屈筋からなる群から選択される少なくとも１つの筋肉を加圧してサポートすることができる。これにより、本ウェットスーツのサーフィン使用時には、着用者のパドリング時の前腕の疲労を軽減することができる。また、当該強緊締力部（３’）をウェットスーツに備えることによって、パドリング時の上腕の動作を機敏にする効果を有する。
【００３４】
当該強緊締力部（４）は、広背筋上部付近（２０）より広背筋を実質的にサポートして腰部正中部（２１）に至るように配置することができる。当該強緊締力部（４）を備えることによって、当該ウェットスーツ着用時に当該強緊締力部（４）によって、着用者の上半身を後方へと反らしやすくすることができる。これにより、本ウェットスーツのサーフィン使用時には着用者のパドリング時の姿勢を正しく保持できると共に、上腕の内転、外転、挙上、前傾、後傾および回旋等の運動を容易にし、パドリングを楽に行うことができる。
【００３５】
強緊締力部（４）は、一または複数の部材により広背筋の一部を部分的にサポートするように構成されていても良いし、広背筋の全体を実質的にサポートするように構成されていても良い。「複数」とは、特に限定されないが、２以上、３以上、４以上、または５以上を指す。複数の強緊締力部を配置する場合において、それら複数の強緊締力部は互いに並行していても、していなくても良い。
【００３６】
また、強緊締力部（４）は、広背筋上部付近（２０）において上記強緊締力部（１）と連結されていても良く、また腰部正中部（２１）において強緊締力部（４）同士が連結されていても良い。
【００３７】
本発明のウェットスーツは、上記ウェットスーツに、さらに以下の下腿部に配置された強緊締力部を備えることができる。
【００３８】
図５に示すように、上記ウェットスーツに、さらに、着用者の外側広筋（２２）から大腿直筋（２３）および縫工筋（２４）の筋腹を横切り、内転筋群（すなわち、薄筋、長内転筋、短内転筋、大内転筋、恥骨筋）（２５）に至るように形成された左右一対の強緊締力部（５）；ならびに／あるいは
着用者の外側広筋（２２）から大腿部の前側を通り、内側広筋（２６）に至るように形成された左右一対の強緊締力部（６）
を備える（図５）。
【００３９】
強緊締力部（５）は、着用者の膝蓋骨上方において、外側広筋（２２）から大腿直筋（２３）および縫工筋（２４）の筋腹を横切り、内転筋群（２５）に至るよう上記筋肉の筋腹を横切るように、好ましくは斜め上方に向かって横切るように配置される。強緊締力部（５）は、同様に配置された複数の強緊締力部より構成されていても良い。複数の強緊締力部を配置する場合において、それら複数の強緊締力部は互いに並行していても、していなくても良い。
【００４０】
強緊締力部（６）は、着用者の膝蓋骨上方において、外側広筋（２２）から大腿部の前側を横切るように、好ましくは斜め下方に向かって横切り、内側広筋（２６）に至るように形成される。この際、強緊締力部（６）は、縫工筋に沿うことなく、かつ上記強緊締力部（５）と交差することなく配置される。強緊締力部（６）は、同様に配置された複数の強緊締力部より構成されていても良く、それら複数の強緊締力部は互いに並行していても、していなくても良い。図５には、２本の強緊締力部より構成される強緊締力部（６）を示す。
【００４１】
強緊締力部（５）および／または強緊締力部（６）は、当該ウェットスーツ着用時に大腿部前側の筋肉、特に大腿四頭筋（すなわち、大腿直筋、外側広筋、中間広筋、内側広筋）、縫工筋、内転筋を筋繊維方向に沿うことなく、当該筋肉の筋腹を横切るように配置され、当該筋肉の一または複数の箇所を部分的にサポートすることができる。これにより、本ウェットスーツのサーフィン使用時には着用者の当該筋肉を部分的に加圧しながらサポートすることができ、これによって当該筋肉の筋出力向上につながり、また肉離れ等の怪我を予防することができる。さらに、強緊締力部（５）および／または強緊締力部（６）によって加圧してサポートされることによってマッサージ効果を生じ、血液やリンパ球の流れが促進されることによって当該筋肉の疲労軽減および疲労回復を促進することができる。
【００４２】
上記ウェットスーツには、上記強緊締力部（５）および強緊締力部（６）に代えて、または加えて、図６に示すような大腿部前側の筋肉、特に大腿四頭筋（すなわち、大腿直筋、外側広筋、中間広筋、内側広筋）、縫工筋、内転筋を部分的にサポートするための強緊締力部（６’）を備えても良い。強緊締力部（６’）は、腸脛靭帯またはその近傍より大腿部前側の筋肉を斜め下方に横断し、大腿部内側の筋肉（内転筋群、内側広筋等）に至るように形成される。強緊締力部（６’）は、上記強緊締力部（５）および強緊締力部（６）と同様の効果を生じることができる。強緊締力部（６’）は、一または複数の部材より構成されていても良く、少なくとも大腿四頭筋の上方（２７）および大腿四頭筋の筋腹の幅が最大の部分（２８）に強緊締力部（６’）が配置されていれば良い。
【００４３】
また、図７に示すように、上記ウェットスーツに、さらに、着用者の外側側副靭帯（２９）を実質的にサポートしかつ長腓骨筋に沿って長腓骨筋の上部付近（３０）まで延在するように形成された左右一対の強緊締力部（７）、および着用者の内側側副靭帯（３１）を実質的にサポートしかつ膝蓋骨下方において膝間接内側から前側を通り上記強緊締力部（７）に連結するように形成された左右一対の強緊締力部（８）を備えていても良い。
【００４４】
ウェットスーツに強緊締力部（７）および強緊締力部（８）を備えることによって、当該ウェットスーツ着用時に着用者の膝間接を人体外側および人体内側よりサポートすることができ、外側半月および内側半月（いわゆる半月板）の損傷を予防することができる。また、本ウェットスーツのサーフィン使用時には着用者の膝間接、特に内側膝間接を加圧してサポートすることができるために、低重心でサーフボードを踏み込んだ際に、効率よく力をサーフボードに伝えることができる。
【００４５】
強緊締力部（７）は、人体外側において下記にて詳述する強緊締力部（９）と連結していても良い。
【００４６】
強緊締力部（８）は、膝間接の上方において薄筋（３２）に沿って延在していても良い。
【００４７】
強緊締力部（７）と強緊締力部（８）とは、膝蓋骨下方において連結しているが、好ましくは強緊締力部（７）と強緊締力部（８）とは一つの強緊締力部として一体して構成される。
【００４８】
また、図８に示すように、上記ウェットスーツに、さらに、着用者の腰部（中殿筋および／または大腿筋膜張筋近傍）（３３）から腸脛靭帯（３４）にほぼ沿って膝関節の外側側面（３５）を通り、腓骨筋（長腓骨筋および短腓骨筋）（３６）に沿って踝付近（３７）まで至るように形成された左右一対の強緊締力部（９）を備えていても良い。
【００４９】
ウェットスーツに強緊締力部（９）を備えることによって、当該ウェットスーツ着用時に大腿部においては腸脛靭帯（３４）および隣接する外側広筋が加圧してサポートされ、当該靭帯の損傷予防および当該筋肉の筋出力の向上に効果を有する。また膝間接部においては膝関節を外側側面より加圧しながらサポートし、膝間接の外反を抑制し膝間接に存在する靭帯（例えば、外側側副靭帯、内側側副靭帯、前十字靭帯、後十字靭帯等）の損傷を予防することができる。さらに下腿部においては、腓骨筋（長腓骨筋および短腓骨筋）ならびに隣接する長指伸筋、前脛骨筋およびヒラメ筋を加圧しながらサポートすることによってマサージ効果を生じ、当該筋肉の血液やリンパ球の流れが促進されることによって疲労を軽減する効果を有する。
【００５０】
強緊締力部（９）は、ウェットスーツの外面または内面（好ましくは内面）においてその長縁部、および／または強緊締力部（９）と強緊締力部（９）以外のパーツとの連結部に、強緊締力部（９）と比較して緊締力の強い部材からなる強緊締力部（９’）が縫合または接着されていても良い。強緊締力部（９）が強緊締力部（９’）を備えることによって、強緊締力部（９）による上記効果を向上することができる。
【００５１】
強緊締力部（９）は、下記にて詳述する強緊締力部（１２）の一部と同じ領域に存在する。従って、ウェットスーツに、強緊締力部（９）と強緊締力部（１２）が共に配置される場合、強緊締力部（９）は削除しても良く、逆に、強緊締力部（９）に相当する強緊締力部（１２）の一部を削除しても良い。
【００５２】
また、図９に示すように、上記ウェットスーツに、さらに、着用者のアキレス腱（３８）を実質的にサポートしかつ腓腹筋（３９）の下方付近に沿って延在するように形成された左右一対の強緊締力部（１０）を備えても良い。
【００５３】
ウェットスーツに強緊締力部（１０）を備えることによって、当該ウェットスーツ着用時にアキレス腱（３８）から腓腹筋（３９）の下方付近を加圧しながらサポートすることによって、マサージ効果を生じ、血液やリンパ球の流れが促進されることによって、腓腹筋（３９）および隣接するヒラメ筋の疲労軽減および疲労回復を促すことができる。また、強緊締力部（１０）を備えることによって、アキレス腱（３８）をサポートすることができ、アキレス腱の断裂を予防することができる。
【００５４】
また、図１０に示すように、上記ウェットスーツに、さらに、着用者の大腿筋膜張筋（４０）から腹部の体側部（４１）および／または腰部の体側部（４２）を実質的にカバーするように形成された左右一対の強緊締力部（１１）を備えても良い。
【００５５】
ウェットスーツに強緊締力部（１１）を備えることによって、当該ウェットスーツ着用時に骨盤を体側部よりサポートすることができ、それによって体軸を安定化させることができ、また骨盤の歪みを抑制し腰痛を予防することができる。また、本ウェットスーツのサーフィン使用時には着用者の骨盤を体側部よりサポートし、パドリング時に骨盤が開くのを抑制することができる。
【００５６】
着用者の骨盤を体側部よりサポートできる限り、強緊締力部（１１）の形状および範囲は特に限定されないが、図１０（Ａ）に示すように、大腿筋膜張筋（４０）から腹部の体側部（４１）および／または腰部の体側部（４２）へ向かって複数の強緊締力部を配した形状を有していても良いし、図１０（Ｂ）に示すように、大腿筋膜張筋（４０）ならびに腹部の体側部（４１）および／または腰部の体側部（４２）を実質的にカバーするように強緊締力部を配した形状を有していても良い。
【００５７】
また、図１１−１〜３に示すように、上記ウェットスーツに、さらに、着用者の少なくとも膝裏部（４３）を除く、腰部より下の背面に強緊締力部（１２）を備えても良い。「背面」とは、人体外側において、腰部から膝間接にかけては、大腿筋膜張筋、腸脛靭帯および中殿筋からなる群から選択される一または複数の筋または靭帯の、人体前側の縁またはその近傍（４４）よりも人体の後ろ側、膝間接下より踝にかけては長腓骨筋の、人体前側の縁またはその近傍（４５）よりも人体の後ろ側であり、かつ人体内側において、大腿部の人体内側において内転筋群（すなわち、恥骨筋、短内転筋、長内転筋、大内転筋、薄筋）から選択される一または複数の筋の人体前側の縁またはその近傍（４６）よりも人体の後ろ側、膝間接部にかけては、内側側副靭帯および前長線維からなる群から選択される一または複数の靭帯の人体前側の縁またはその近傍（４７）よりも人体の後ろ側、膝間接下より踝にかけては腓腹筋の人体前側の縁に沿って踝まで至るラインまたはその近傍（４８）よりも人体の後ろ側を指す。強緊締力部（１２）は少なくとも「膝裏部（４３）」には配置されないが、当該膝裏部の範囲および形状は、強緊締力部（１２）が大腿部の背面の筋肉（例えば、内転筋群、半膜様筋、半腱様筋、大腿二頭筋、大腿筋膜張筋、中殿筋等）、下腿部の背面の筋肉（例えば、長腓骨筋、腓腹筋、ヒラメ筋等）ならびに靭帯（例えば、腸脛靭帯、外側側副靭帯、内側側副靭帯、アキレス腱等）からなる群から選択される一または複数の筋肉、靭帯および／または腱を実質的にサポートできる範囲で適宜決定することができる。
【００５８】
少なくとも、「背面」において腓腹筋の内側頭および外側頭近傍から、半膜様筋、半腱様筋および大腿二頭筋からなる群から選択される一または複数の筋肉の下方部付近にわたる範囲に強緊締力部（１２）が配されていなければ良い。特に限定されないが、強緊締力部（１２）は例えば、図１１(Ａ)〜(Ｄ)に示される形状が挙げられる。さらに、強緊締力部（１２）は、上記膝裏部（４３）に加えて、少なくとも着用者の臀部（５８）に配置されていなくても良い（図１１(Ｅ)〜(Ｌ)）。上記膝裏部（４３）に加えて、少なくとも、「背面」において大殿筋、または大殿筋から半膜様筋、半腱様筋および大腿二頭筋からなる群から選択される一または複数の筋肉の上方部付近にわたる範囲に強緊締力部（１２）が配されていなければ良い。またさらに、膝裏部（４３）から臀部（５８）にかけて、半膜様筋、半腱様筋および大腿二頭筋ならびにその付近に強緊締力部（１２）が配置されていなくても良い（図１１(Ｍ)）。ウェットスーツに強緊締力部（１２）を着用者の下半身の背面に備えることによって、下半身の背面に存在する筋肉を包括的にサポートすることが可能であり、当該筋肉全体の筋出力を向上させる効果を有する。
【００５９】
また、強緊締力部（１２）によって、下半身の背面を加圧してサポートすることによって、マサージ効果を生じ、血液やリンパ球の流れが促進されることによって下半身の背面に存在する筋肉の疲労軽減および疲労回復を促すことができる。さらに、強緊締力部（１２）によって下半身の背面に存在する筋肉を包括的にサポートすることによって、肉離れ等の怪我を防止することができる。
【００６０】
本ウェットスーツのサーフィン使用時には、低重心姿勢における着用者の下半身の背面に存在する筋肉の広がりを防ぎ、当該筋肉の振動を抑制することができる。「筋肉の広がり」とは、力を入れることにより筋繊維が太くなり、筋肉全体が膨張することを指す。「筋肉の振動」とは、力を入れることで筋肉が様々な方向に細かく揺れ、振動する事を指す。
【００６１】
上記ウェットスーツには、強緊締力部（１２）に代えて、または加えて、図１１−３(Ｎ)に示すような大腿二頭筋（４９）および半腱様筋（５０）を部分的にサポートするための強緊締力部（１２’）を備えても良い。強緊締力部（１２’）は、腸脛靭帯（５１）より大腿二頭筋（４９）および半腱様筋（５０）の筋腹を斜めに横切り脛骨上端近傍（５２）に至る強緊締力部（Ａ）と半膜様筋の上方から大腿二頭筋および半腱様筋の筋腹を斜めに横切り腸脛靭帯の下方部または腓骨上端近傍に至る強緊締力部（Ｂ）からなり、強緊締力部（Ａ）と強緊締力部（Ｂ）は大腿二頭筋および半腱様筋上で交差する。強緊締力部（Ａ）と強緊締力部（Ｂ）はそれぞれ、一または複数の部材より構成されても良い。図１１−３(Ｎ)には、２本の強緊締力部（Ａ）と２本の強緊締力部（Ｂ）からなる強緊締力部（１２’）を示す。強緊締力部（１２’）によって部分的に大腿二頭筋（４９）および半腱様筋（５０）を加圧してサポートすることによって、マサージ効果を生じ、血液やリンパ球の流れが促進されることによって当該筋肉の疲労軽減および疲労回復を促すことができる。
【００６２】
図１２に示すように、本発明のウェットスーツは、上記強緊締力部を複数組み合わせて備えることができる。上記強緊締力部を複数組み合わせて備えることによって、上半身および下半身の筋肉を包括的にサポートすることができ、上記効果を最大限に得ることができる。
【００６３】
上記強緊締力部は、以下の手法によりウェットスーツに付与することができる：
（１）強緊締力部を構成する部材と、ウェットスーツを構成するそれ以外の部材とを所定の形状を有するパーツ（パネルとも呼ばれる）にして、それらを繋ぎ合わせて縫合または接着させることにより各強緊締力部を形成する；
（２）所定の形状を有する強緊締力部を構成する部材を、ウェットスーツ本体（外面または内面、好ましくは内面）の所定の位置に重ね合わせて付着（縫合または接着）させることにより各強緊締力部を形成する。
【００６４】
上記強緊締力部は、手法（１）および（２）のいずれを用いて形成しても良いが、好ましくは強緊締力部（１）、（２）、（３）、（９）、および（１２）は手法（１）により形成され、強緊締力部（３’）、（５）、（６）、（６’）、（７）、（８）、（９’）、（１０）、（１１）および（１２’）は手法（２）により形成される。
【００６５】
その他、上記強緊締力部は、ウェットスーツ本体の強緊締力部を配する部分に弾力性を有する合成樹脂またはゴムの溶液等を含浸またはコーティングしてその後乾燥させる方法、弾力性を有する合成樹脂またはゴムのフィルムを積層する方法等によって形成することができる。
【００６６】
上記強緊締力部を構成する部材は、例えば、ポリエステル、ナイロン、リサイクルポリエステル、リサイクルナイロン、ナイロン中空糸、ポリエステル中空糸、ライクラジャージ、シリコン、ゴム（ネオプレン（登録商標）等）、ポリ塩化ビニル、アクリル等が挙げられるがこれらに限定されない。強緊締力部を構成する部材は、SOLインクを用いて着色、印刷されていても良い。好ましくは、強緊締力部（１）、（２）、（３）、（９）、および（１２）はポリエステル、ナイロン、リサイクルポリエステル、リサイクルナイロン、ナイロン中空糸、ポリエステル中空糸、ライクラジャージ、ネオプレン（登録商標）またはこれらの組み合わせより形成される。また、好ましくは、強緊締力部（３’）、（５）、（６）、（６’）、（７）、（８）、（９’）、（１０）、（１１）および（１２’）はシリコン、ゴム、ポリ塩化ビニル、アクリル、ナイロン、ポリエステル等から形成され、厚さが0.5ｍｍ以下、0.4ｍｍ以下、0.3ｍｍ以下または0.2ｍｍ以下であるものが好ましい。
【００６７】
上記強緊締力部は、特に限定するものではないが、その長さ方向で30〜400gfの緊締力を有することが好ましい。当該緊締力の測定は、当業者に公知の一般的な手法を用いて行うことができる（特許第3012819号）。各強緊締力部の緊締力は全て同一である必要はなく、強緊締力部の部位に応じて、および／または着用者に応じて、それぞれ異なっていても良い。好ましくは、上記手法２により形成される強緊締力部の緊締力は、上記手法１により形成される強緊締力部の緊締力と比べて大きい。図１２において、比較的緊締力の強い強緊締力部は黒色で示す。
【００６８】
上記強緊締力部（１）〜（１１）および（１２’）はバンド状の部材より構成され得るが、その幅は当該強緊締力部の存在部位、用いる部材の有する強緊締力、強緊締力部の形成手法、着用者等の要因に応じて適宜設定することができ、例えば２〜１５ｃｍの範囲より適宜選択することができる。ただし、この範囲よりも必要に応じて部分的に狭幅であっても、広幅であっても良い。
【００６９】
上記強緊締力部は、ウェットスーツのタイプ（ファスナー型、ノーファスナー型、フルスーツ、スプリング、ロングスリーブ、シーガル、タッパー、ラッシュガード）に応じて適宜配置することができる。当業者にとって明らかなように、ウェットスーツが例えば上半身型であれば、上記強緊締力部のうち強緊締力部（１）、（２）、（３）、（３’）および（４）からなる群から選択される一または複数の強緊締力部を配置することができる。また、ウェットスーツが例えばシーガルタイプであれば、上記強緊締力部のうち、強緊締力部（３）および強緊締力部（３’）を除く強緊締力部から選択される一または複数の強緊締力部を配置することができる。
【００７０】
本発明のウェットスーツにおいて、上記強緊締力部以外の部分はウェットスーツ製造に従来的に用いられている材料（例えば、ネオプレン（登録商標）、ジャージ生地、起毛素材など、これらに限定されない）より構成される。
【産業上の利用可能性】
【００７１】
本発明のウェットスーツは、部分的に配された強緊締力部を備え、当該強緊締力部により着用者の筋肉および靭帯を加圧してサポートすることができるために、当該筋肉および靭帯の損傷防止および当該筋肉の筋出力の向上を促し、さらに当該強緊締力部を配置することにより生じるマッサージ効果により、当該筋肉の疲労軽減および疲労回復を促すことができる。
【符号の説明】
【００７２】
１強緊締力部（１）
２強緊締力部（２）
３強緊締力部（３）
３’強緊締力部（３’）
４強緊締力部（４）
５強緊締力部（５）
６強緊締力部（６）
６’強緊締力部（６’）
７強緊締力部（７）
８強緊締力部（８）
９強緊締力部（９）
９’強緊締力部（９’）
１０強緊締力部（１０）
１１強緊締力部（１１）
１２強緊締力部（１２）
１２’強緊締力部（１２’）
１３三角筋の鎖骨部近傍
１４肩峰および僧帽筋上部
１５三角筋の肩甲棘部近傍
１６広背筋
１７三角筋
１８上腕骨の三角筋粗面
１９外腹斜筋下方部近傍
２０広背筋上部付近
２１腰部正中部
２２外側広筋
２３大腿直筋
２４縫工筋
２５内転筋群
２６内側広筋
２７大腿四頭筋の上方
２８大腿四頭筋の筋腹の幅が最大の部分
２９外側側副靭帯
３０長腓骨筋の上部付近
３１内側側副靭帯
３２薄筋
３３腰部（中殿筋および／または大腿筋膜張筋近傍）
３４腸脛靭帯
３５膝関節の外側側面
３６腓骨筋（長腓骨筋および短腓骨筋）
３７踝付近
３８アキレス腱
３９腓腹筋
４０大腿筋膜張筋
４１腹部の体側部
４２腰部の体側部
４３膝裏部
４４人体外側の筋または靭帯の人体前側の縁またはその近傍
４５長腓骨筋の人体前側の縁またはその近傍
４６人体内側の筋の人体前側の縁またはその近傍
４７人体内側の靭帯の人体前側の縁またはその近傍
４８腓腹筋の人体前側の縁に沿って踝まで至るラインまたはその近傍
４９大腿二頭筋
５０半腱様筋
５１腸脛靭帯
５２脛骨上端近傍
５３大胸筋下部
５４体側部
５５腰部
５６外腹斜筋
５７腹部
５８臀部
【図１】
0005503215.tif 000002
【図２】
0005503215.tif 000003
【図３−１】
0005503215.tif 000004
【図３−２】
0005503215.tif 000005
【図３−３】
0005503215.tif 000006
【図４】
0005503215.tif 000007
【図５】
0005503215.tif 000008
【図６】
0005503215.tif 000009
【図７】
0005503215.tif 000010
【図８】
0005503215.tif 000011
【図９】
0005503215.tif 000012
【図１０】
0005503215.tif 000013
【図１１−１】
0005503215.tif 000014
【図１１−２】
0005503215.tif 000015
【図１１−３】
0005503215.tif 000016
【図１２】
0005503215.tif 000017